(57)【要約】【課題】建具の設置性を向上させることが可能になる、建具を提供すること。【解決手段】建具は、枠体１０と、通行開口部を開閉する通行開閉体と、収納開口部を開閉する収納開閉体とを備えた建具であって、枠体１０は、左右一対の縦枠と、上横枠１３及びくつずり横枠１４と、左右一対の縦枠の相互間に設けられた方立１５とを備え、収納部の枠材は、上横枠１３の方立１５に対応する部分から建具の背面側に向けて張り出すように設けられた上収納横枠材８３と、くつずり横枠１４の方立１５に対応する部分から建具の背面側に向けて張り出すように設けられた下収納横枠材８４と、方立１５の真後ろに位置する第１収納縦枠材８１とを含み、上収納横枠材８３及び下収納横枠材８４の各々と枠体１０とを直接的に接続すると共に、上収納横枠材８３及び下収納横枠材８４の各々と第１収納縦枠材８１とを直接的に接続した。【選択図】図１０
2019127807.tif 000002
【特許請求の範囲】
【請求項１】
建物の開口部に設けられた建具であり、前記開口部の周縁に設けられた枠体と、前記開口部の一部である通行開口部であり、通行対象を通行させるための通行開口部を開閉する通行開閉体と、前記開口部の他の一部である収納開口部であり、当該収納開口部よりも当該建具の背面側に設けられた収納部に収納対象を収納可能にするための収納開口部を開閉する収納開閉体と、を備えた建具であって、
前記枠体は、左右一対の縦枠と、前記左右一対の縦枠の各々の上端部と接続された上横枠又は前記左右一対の縦枠の各々の下端部と接続された下横枠と、前記左右一対の縦枠の相互間に設けられた方立であって、前記通行開口部と前記収納開口部とを仕切る方立と、を備え、
前記収納部を構成する枠材は、
前記上横枠における前記方立に対応する部分から当該建具の背面側に向けて張り出すように設けられた横枠材である上収納横枠材と、
前記下横枠における前記方立に対応する部分から当該建具の背面側に向けて張り出すように設けられた横枠材である下収納横枠材と、
前記方立の真後ろに位置する縦枠材である第１収納縦枠材と、を含み、
前記上収納横枠材及び前記下収納横枠材の各々と前記枠体とを直接的に接続すると共に、前記上収納横枠材及び前記下収納横枠材の各々と前記第１収納縦枠材とを直接的に接続した、
建具。
【請求項２】
前記下収納横枠材の上端部が、前記下横枠の上端部よりも上方に位置するように、前記下収納横枠材を構成した、
請求項１に記載の建具。
【請求項３】
前記収納部の枠材は、前記第１収納縦枠材とは異なる縦枠材であって、前記左右一対の縦枠のうち前記収納部側に位置する縦枠の真後ろに位置する縦枠材である第２収納縦枠材をさらに含み、
前記第２収納縦枠材が前記枠体及び前記収納部の枠材のうち当該第２収納縦枠材以外の枠材と直接的に接続しないように、前記第２収納縦枠材を配置した、
請求項１又は２に記載の建具。
【発明の詳細な説明】
【技術分野】
【０００１】
本発明は、建具に関する。
【背景技術】
【０００２】
従来、建物の玄関口に設けられている建具を対象として、ユーザの留守中に荷物の受け渡しを可能にするための技術の一つとして、玄関口の一部を開閉するための扉（以下、「玄関側扉」と称する）と、建物の屋内側において、玄関口の他の一部に対向する位置に設けられたロッカー部であって荷物を収納するためのロッカー部と、玄関口の他の一部を開閉するための外側扉であって当該外側扉を開放操作することで建物の外側から荷物をロッカー部に収納可能にする外側扉とを備えた技術が提案されている。また、このロッカー部は、当該ロッカー部の収容空間を複数の空間に仕切るための複数の間仕切り板と、建物の屋内側に設けられた内側扉であってロッカー部の取出口を開閉するための内側扉と、当該ロッカー部の収容空間を覆うように設けられた複数のパネルとを備えている。
【先行技術文献】
【特許文献】
【０００３】
【特許文献１】特開平６−１２５８３３号公報
【発明の概要】
【発明が解決しようとする課題】
【０００４】
しかしながら、上記従来の技術においては、上述したように、ロッカー部が、複数の間仕切り板、内側扉、及び複数のパネルを備えるに過ぎなかったので、例えば地震等の外力がロッカー部に加えられた際には、ロッカー部の構造的安定性を維持することが難しくなる可能性があった。よって、建具の設置性の観点からは改善の余地があった。
【０００５】
本発明は、上記従来技術における課題を解決するためのものであって、建具の設置性を向上させることが可能になる、建具を提供することを目的とする。
【課題を解決するための手段】
【０００６】
上述した課題を解決し、目的を達成するために、請求項１に記載の建具は、建物の開口部に設けられた建具であり、前記開口部の周縁に設けられた枠体と、前記開口部の一部である通行開口部であり、通行対象を通行させるための通行開口部を開閉する通行開閉体と、前記開口部の他の一部である収納開口部であり、当該収納開口部よりも当該建具の背面側に設けられた収納部に収納対象を収納可能にするための収納開口部を開閉する収納開閉体と、を備えた建具であって、前記枠体は、左右一対の縦枠と、前記左右一対の縦枠の各々の上端部と接続された上横枠又は前記左右一対の縦枠の各々の下端部と接続された下横枠と、前記左右一対の縦枠の相互間に設けられた方立であって、前記通行開口部と前記収納開口部とを仕切る方立と、を備え、前記収納部を構成する枠材は、前記上横枠における前記方立に対応する部分から当該建具の背面側に向けて張り出すように設けられた横枠材である上収納横枠材と、前記下横枠における前記方立に対応する部分から当該建具の背面側に向けて張り出すように設けられた横枠材である下収納横枠材と、前記方立の真後ろに位置する縦枠材である第１収納縦枠材と、を含み、前記上収納横枠材及び前記下収納横枠材の各々と前記枠体とを直接的に接続すると共に、前記上収納横枠材及び前記下収納横枠材の各々と前記第１収納縦枠材とを直接的に接続した。
【０００７】
請求項２に記載の建具は、請求項１に記載の建具において、前記下収納横枠材の上端部が、前記下横枠の上端部よりも上方に位置するように、前記下収納横枠材を構成した。
【０００８】
請求項３に記載の建具は、請求項１又は２に記載の建具において、前記収納部の枠材は、前記第１収納縦枠材とは異なる縦枠材であって、前記左右一対の縦枠のうち前記収納部側に位置する縦枠の真後ろに位置する縦枠材である第２収納縦枠材をさらに含み、前記第２収納縦枠材が前記枠体及び前記収納部の枠材のうち当該第２収納縦枠材以外の枠材と直接的に接続しないように、前記第２収納縦枠材を配置した。
【発明の効果】
【０００９】
請求項１に記載の建具によれば、収納部を構成する枠材が、上収納横枠材と、下収納横枠材と、第１収納縦枠材とを含むので、収納部が枠材を備えていない場合に比べて、収納部の構造的安定性を向上させることができる。また、上収納横枠材及び下収納横枠材の各々と枠体とを直接的に接続すると共に、上収納横枠材及び下収納横枠材の各々と第１収納縦枠材とを直接的に接続したので、例えば、枠体、上収納横枠材、下収納横枠材、及び第１収納縦枠材によって囲繞された領域において開閉体等の部材を枠体、上収納横枠材、下収納横枠材、又は第１収納縦枠材に対して取り付けた場合に、当該部材を強固に支持することが可能となる。したがって、建具の設置性を向上させることができる。
【００１０】
請求項２に記載の建具によれば、下収納横枠材の上端部が、下横枠の上端部よりも上方に位置するように、下収納横枠材を構成したので、枠体、上収納横枠材、下収納横枠材、及び第１収納縦枠材によって囲繞された領域に開閉体が設けられた場合に、上記開閉体の開放時に下横枠の近傍に存在する障害物（例えば、靴等）と上記開閉体とが衝突することを抑制でき、建具の使用性を維持できる。
【００１１】
請求項３に記載の建具によれば、第２収納縦枠材が枠体及び収納部の枠材のうち当該第２収納縦枠材以外の枠材と直接的に接続しないように、第２収納縦枠材を配置したので、第２収納縦枠材を上記第２収納縦枠材以外の枠材と直接的に接続させる必要がないことから、枠体及び収納部の設置の手間及び設置コストを低減でき、建具の設置性を一層向上させることが可能となる。
【図面の簡単な説明】
【００１２】
【図１】本発明の実施の形態に係る建具を示す図であり、（ａ）は全閉状態を示す正面図、（ｂ）は通行全閉状態且つ収納全開状態を示す正面図である。
【図２】建具を示す図であり、（ａ）は全閉状態を示す背面図、（ｂ）は全閉状態を示す左側面図である（一部図示省略）。
【図３】建具を示す図であり、（ａ）は全閉状態且つ取出全閉状態を示す右側面図（一部図示省略）、（ｂ）は全閉状態且つ取出全開状態を示す右側面図である（一部図示省略）。
【図４】図１（ａ）のＡ−Ａ矢視断面図であって、取出全開状態を示す図である。
【図５】図４の方立の領域の拡大図である。
【図６】図４のＢ−Ｂ矢視断面図である。
【図７】図４のＣ−Ｃ矢視断面図である。
【図８】枠体及び収納枠体を示す正面図（一部図示省略）である。
【図９】図８のＤ−Ｄ矢視断面図（一部図示省略）である。
【図１０】図８のＥ−Ｅ矢視断面図（一部図示省略）である。
【発明を実施するための形態】
【００１３】
以下に添付図面を参照して、この発明に係る建具の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１４】
〔Ｉ〕実施の形態の基本的概念
まず、実施の形態の基本的概念について説明する。実施の形態は、概略的に、建物の開口部に設けられた建具であり、開口部の周縁に設けられた枠体と、通行開口部を開閉する通行開閉体と、収納開口部を開閉する収納開閉体と、を備えた建具に関するものである。
【００１５】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁等）において出入口や窓を設置するために形成された開口部であり、実施の形態では、通行開口部及び収納開口部を有する。このうち、「通行開口部」は、開口部の一部であり、通行対象（例えば、人、動物等）を通行させるための開口部である。また、「収納開口部」は、開口部の他の一部であり、当該収納開口部よりも建具の背面側に設けられた後述の収納部に収納対象（例えば、宅配物、宅配物以外の荷物等）を収納可能にするための開口部である。また、「建具」とは、開口部に設置される構造体であって、開口部の出入りを抑制又は制限するための構造体を意味する。また、建具の取り付け位置や用途は任意であるが、例えば玄関に設置される「玄関用建具」、勝手口や通用口に設置される「勝手口用建具」、あるいは建物内部に設置される「室内用建具」等を含む。また、建具の開閉構造は任意であり、例えば、通行開閉体及び収納開閉体の各々が片開式の開閉体である建具、通行開閉体及び収納開閉体の各々が片引き式の開閉体である建具、通行開閉体又は収納開閉体のいずれか一方が片開式であり、通行開閉体又は収納開閉体のいずれか他方が片引き式の開閉体である建具等を含む概念である。また「通行開閉体の状態」とは、例えば、通行開閉体によって通行開口部を全閉した「通行全閉状態」と、通行開閉体によって通行開口部を全開した「通行全開状態」と、通行開口部の一部を開いて通行開口部の他の一部を閉じている「通行半開状態」とを含む概念である。また「収納開閉体の状態」とは、例えば、収納開閉体によって収納開口部を全閉した「収納全閉状態」と、収納開閉体によって収納開口部を全開した「収納全開状態」と、収納開口部の一部を開いて収納開口部の他の一部を閉じている「収容半開状態」とを含む概念である。なお、通行開閉体及び収納開閉体によって開口部を全閉した状態を「全閉状態」と称し、通行開閉体及び収納開閉体によって開口部を全開した状態を「全開状態」と称する。以下、実施の形態では、建具が、集合住宅の如き建物の玄関に設けられた建具であって、通行開閉体及び収納開閉体の各々が片開式の開閉体である建具について説明する。
【００１６】
〔ＩＩ〕実施の形態の具体的内容
次に、実施の形態の具体的内容について説明する。
【００１７】
（構成）
最初に、実施の形態に係る建具の構成について説明する。以下の説明では、図１のＸ方向を建具の左右方向（−Ｘ方向を建具の左方向、＋Ｘ方向を建具の右方向）、図２のＹ方向を建具の前後方向（＋Ｙ方向を建具の前方向（建具の正面側の方向又は建物の屋外側の方向）、−Ｙ方向を建具の後方向（建具の背面側の方向又は建物の屋内側の方向））、図１のＺ方向を建具の上下方向（＋Ｚ方向を建具の上方向、−Ｚ方向を建具の下方向）と称する。図１に示すように、この建具１は、概略的に、枠体１０、通行開閉体２０、収納開閉体３０、通行ヒンジ部４０、収納ヒンジ部５０、及び収納部６０を備えている。ただし、建具１に関する特記しない構成については、従来と同様であるものとして説明を省略する。なお、建具１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００１８】
また、通行開口部２ａ、収納開口部２ｂ、及び後述の図３の取出口４の具体的な大きさについては任意であるが、実施の形態では、以下の通りとなる。すなわち、幅については、収納開口部２ｂの幅（左右方向の長さ）を取出口４の幅（前後方向の長さ）よりも長く設定しており、通行開口部２ａの幅（左右方向の長さ）を収納開口部２ｂの幅よりも長く設定している（すなわち、取出口４の幅＜収納開口部２ｂの幅＜通行開口部２ａの幅）。また、高さについては、収納開口部２ｂの高さ（上下方向の長さ）を取出口４の高さ（上下方向の長さ）よりも長く設定しており、通行開口部２ａの高さ（上下方向の長さ）を収納開口部２ｂの高さと同一に設定している（すなわち、取出口４の高さ＜収納開口部２ｂの高さ＝通行開口部２ａの高さ）。また、収納開口部２ｂ及び通行開口部２ａの各々の高さを開口部２の高さ（上下方向の長さ）と略同一に設定している（すなわち、収納開口部２ｂ及び通行開口部２ａは、開口部２の上下方向の略全長にわたって形成されている）。なお、通行開口部２ａ、収納開口部２ｂ、及び取出口４の各々に対応する開閉体（すなわち、後述の通行開閉体２０、後述の収納開閉体３０、及び後述の取出開閉体１３０）の具体的な大きさについても、上述した通行開口部２ａ、収納開口部２ｂ、及び図３の取出口４の大きさと略同様に設定している。
【００１９】
（構成−枠体）
まず、枠体１０の構成について説明する。この枠体１０は、開口部２（具体的には、通行開口部２ａ（図１では開口部２の右側に位置する）と、左右方向の長さが通行開口部２ａの左右方向の長さよりも短い収納開口部２ｂ（図１では開口部２の左側に位置する）とを有する開口部２）の周縁に設けられるものであり、図１に示すように、左右一対の縦枠１１、１２、上下一対の横枠１３、１４、及び方立１５を備えている。これら縦枠１１、１２、及び横枠１３、１４は、例えば鋼製（一例として、スチール製又はステンレス製）の長尺状体にて形成されており、それぞれ開口部２の周縁における建物の躯体３に公知の方法で直接的に固定され、相互に組み合わせられることで全体として正面矩形環状の枠を構成する。また、方立１５は、通行開口部２ａと収納開口部２ｂとを仕切るものであり、例えば鋼製の長尺状体にて形成されており、左右一対の縦枠１１、１２の相互間に設けられており、上下一対の横枠１３、１４に対して公知の方法で直接的に固定されている。以下では、必要に応じて、左右一対の縦枠１１、１２のうち、通行開閉体２０側（図１では、右側）に位置する縦枠１１を「通行縦枠１１」と称し、収納開閉体３０側（図１では、左側）に位置する縦枠１２を「収納縦枠１２」と称する。また、上下一対の横枠１３、１４のうち、左右一対の縦枠１１、１２の各々の上端部と接続された横枠１３を「上横枠１３」と称し、左右一対の縦枠１１、１２の各々の下端部と接続された横枠１４（下横枠）を「くつずり横枠１４」と称する。
【００２０】
また、この方立１５には、通行デッドボルト受け、収納デッドボルト受け、通行ラッチ受け、収納ラッチ受け、及びドアガード受けが設けられている（いずれも図示省略）。このうち、通行デッドボルト受けは、通行全閉状態において、通行開閉体２０に設けられた後述の通行デッドボルトを受けるための通行デッドボルト受容手段であり、後述の通行デッドボルトと対応する位置に配置されている。また、収納デッドボルト受けは、収納全閉状態において、通行開閉体２０に設けられた後述の収納デッドボルトを受けるための収納デッドボルト受容手段であり、後述の収納デッドボルトと対応する位置に配置されている。また、通行ラッチ受けは、通行開閉体２０に設けられた後述の通行ラッチを受けるための通行ラッチ受容手段であり、後述の通行ラッチと対応する位置に配置されている。また、収納ラッチ受けは、収納開閉体３０に設けられた後述の収納ラッチを受けるための収納ラッチ受容手段であり、後述の収納ラッチと対応する位置に配置されている。ドアガード受けは、通行開閉体２０に設けられた後述のドアガード２６を受けるためのドアガード受容手段であり、後述のドアガード２６と対応する位置に配置されている。なお、この枠体１０の構成の詳細については、後述する。
【００２１】
（構成−通行開閉体）
次に、通行開閉体２０の構成について説明する。通行開閉体２０は、通行開口部２ａを開閉するためのものである。この通行開閉体２０は、例えば防火仕様の開閉体等にて形成されており、具体的には、図１、図２、図４に示すように、通行開閉体枠２１、屋外側通行表面材２２、及び屋内側通行表面材２３を備えている。
【００２２】
このうち、通行開閉体枠２１は、通行開閉体２０の剛性を主として担うものであり、例えば、鋼製の長尺な力骨２１ａを複数用いて構成されている。また、屋外側通行表面材２２及び屋内側通行表面材２３は、通行開閉体枠２１を覆うためのものであり、例えば公知の化粧板（一例として、鋼製の化粧板等）等を用いて構成され、通行開閉体枠２１を覆うように設けられている。なお、この通行開閉体２０の構成の詳細については、後述する。
【００２３】
（構成−収納開閉体）
図１に戻り、次に、収納開閉体３０の構成について説明する。収納開閉体３０は、収納開口部２ｂを開閉するためのものである。この収納開閉体３０は、例えば、防火仕様の開閉体等にて形成されており、具体的には、図１、図４に示すように、収納開閉体枠３１、屋外側収納表面材３２、及び屋内側収納表面材３３を備えている。
【００２４】
このうち、収納開閉体枠３１は、収納開閉体３０の剛性を主として担うものであり、例えば、鋼製の長尺な力骨３１ａを複数用いて構成されている。また、屋外側収納表面材３２及び屋内側収納表面材３３は、収納開閉体枠３１を覆うためのものであり、例えば公知の化粧板（一例として、鋼製の化粧板等）等を用いて構成され、収納開閉体枠３１を覆うように設けられている。なお、この収納開閉体３０の構成の詳細については、後述する。
【００２５】
（構成−通行ヒンジ部）
図１に戻り、次に、通行ヒンジ部４０の構成について説明する。通行ヒンジ部４０は、通行開閉体２０を通行縦枠１１に対して回動自在（具体的には、通行開口部２ａから建物の屋外側に至る範囲で回動自在）に軸支するためのものである。この通行ヒンジ部４０は、公知の旗蝶番等を用いて構成されており、図１に示すように、通行開閉体２０の戸尻側の端部（図１では、右端部）において、相互に間隔を隔てて上下方向に沿って複数並設されており、通行開閉体２０及び通行縦枠１１に対して固定具等によって取り付けられている。
【００２６】
（構成−収納ヒンジ部）
次に、収納ヒンジ部５０の構成について説明する。収納ヒンジ部５０は、収納開閉体３０を収納縦枠１２に対して回動自在（具体的には、収納開口部２ｂから建物の屋外側に至る範囲で回動自在）に軸支するためのものである。この収納ヒンジ部５０は、公知の旗蝶番等を用いて構成されており、図１に示すように、収納開閉体３０の戸尻側の端部（図１では、左端部）において、相互に間隔を隔てて上下方向に沿って複数並設されており、収納開閉体３０及び収納縦枠１２に対して固定具等によって取り付けられている。
【００２７】
（構成−収納部）
次に、収納部６０の構成について説明する。この収納部６０は、収納対象を収納するための収納手段であり、図１から図４に示すように、収納部本体７０、取出開閉体１３０、及び取出ヒンジ部１４０を備えている。
【００２８】
（構成−収納部−収納部本体）
収納部本体７０は、収納部６０の基本構造体であり、且つ収納対象を収納するためのものであり、図１から図４に示すように、収納枠体８０、側面パネル９０、上蓋部９１、棚パネル１００、及び塞ぎパネル１２０を備えている。
【００２９】
（構成−収納部−収納部本体−収納枠体）
収納枠体８０は、収納部６０の剛性を主として担うものであり、図３、図４に示すように、左右一対の縦枠材８１、８２及び前後一対の横枠材８３、８４を備えている。これら縦枠材８１、８２及び横枠材８３、８４は、例えば鋼製の長尺状体にて形成されており、図３、図４に示すように、これら縦枠材８１、８２は、枠体１０よりも建物の屋内側（建具１の背面側）に設けられ、これら横枠材８３、８４は、方立１５と後述する第１収納縦枠材８１との相互間に設けられている。以下では、必要に応じて、左右一対の縦枠材８１、８２のうち、方立１５の真後ろに位置する縦枠材８１を「第１収納縦枠材８１」と称し、収納縦枠１２の真後ろに位置する縦枠材８２を「第２収納縦枠材８２」と称する。また、前後一対の横枠材８３、８４のうち、上横枠１３における方立１５に対応する部分から建物の屋内側（建具１の背面側）に向けて張り出すように設けられた横枠材８３を「上収納横枠材８３」と称し、くつずり横枠１４における方立１５に対応する部分から建物の屋内側（建具１の背面側）に向けて張り出すように設けられた横枠材８４を「下収納横枠材８４」と称する。
【００３０】
また、この第１収納縦枠材８１には、取出デッドボルト受け及び取出ラッチ受けが設けられている（いずれも図示省略）。このうち、取出デッドボルト受けは、後述の取出全閉状態において、取出開閉体１３０に設けられた後述の取出デッドボルトを受けるための取出デッドボルト受容手段であり、後述の取出デッドボルトと対応する位置に配置されている。また、取出ラッチ受けは、取出開閉体１３０に設けられた後述の取出ラッチを受けるための取出ラッチ受容手段であり、後述の取出ラッチと対応する位置に配置されている。なお、この収納枠体８０の構成の詳細については、後述する。
【００３１】
（構成−収納部−収納部本体−側面パネル）
図３に戻り、側面パネル９０は、収納部６０の各種側面を覆うための板材である。この側面パネル９０は、例えば公知の収納部用の側面パネル（一例として、骨材が内包された鋼製の中空状のパネル）を用いて構成されており、図３、図４に示すように、収納部６０の背面及び左面の各々を覆うように複数配置されており、収納枠体８０に対して固定具等によって固定されている。
【００３２】
（構成−収納部−収納部本体−上蓋部）
図３に戻り、上蓋部９１は、収納部６０の上面を覆うための板材である。この上蓋部９１は、例えば公知の収納部用の上面パネル（一例として、鋼製のパネル）を用いて構成されており、図３に示すように、収納部６０の上面を覆うように配置されており、枠体１０又は収納枠体８０に対して固定具等によって固定されている。
【００３３】
（構成−収納部−収納部本体−棚パネル）
図１に戻り、棚パネル１００は、収納対象を載置するための板材であり、且つ収納部６０の収納対象を収容する空間６０ａ（以下、「収納空間６０ａ」と称する）を仕切るための板材である。この棚パネル１００は、例えば公知の収納部用の棚パネル（一例として、鋼製のパネル）を用いて構成されており、図１、図３に示すように、収納空間６０ａが複数の空間に仕切られるように複数枚設けられている。なお、複数の棚パネル１００のうち、図１に示すように最下段に位置する棚パネル１００を「第１棚パネル１０１」と称し、図１に示すように第１棚パネル１０１よりも上方に位置する棚パネル１００を「第２棚パネル１０２」と称し、図１に示すように第２棚パネル１０２よりも上方に位置する棚パネル１００を「第３棚パネル１０３」と称し、図１に示すように第３棚パネル１０３よりも上方に位置する棚パネル１００を「第４棚パネル１０４」と称する。
【００３４】
また、第１棚パネル１０１及び第４棚パネル１０４の設置方法については任意であるが、実施の形態では、図１、図７に示すように、第１棚パネル１０１及び第４棚パネル１０４の各々を収納空間６０ａ内において略水平に配置し、収納縦枠１２と方立１５との相互間、及び第１収納縦枠材８１と第２収納縦枠材８２との相互間に設けられた図７の棒状の係止体１０５（例えば公知の係止部材）に対して係止している。また、第２棚パネル１０２及び第３棚パネル１０３の設置方法については任意であるが、実施の形態では、図１、図４、図７に示すように、第２棚パネル１０２及び第３棚パネル１０３の各々を収納空間６０ａ内において略水平に配置し、且つ収納縦枠１２と方立１５との相互間に設けられた図４の棒状の係止体１０５に対して着脱自在に係止していると共に、背面側の側面パネル９０に対して図４のヒンジ部１０６（例えば公知のヒンジ部材）を介して接続している。これにより、係止体１０５を取り外すことによって第２棚パネル１０２又は第３棚パネル１０３を左右方向に沿った回転軸を中心に回転自在（折り畳み自在）にできるので、例えば状況に応じて収納空間６０ａのうち第２棚パネル１０２又は第３棚パネル１０３によって仕切られる空間の大きさを調整できる。
【００３５】
（構成−収納部−収納部本体−塞ぎパネル）
図１に戻り、塞ぎパネル１２０は、収納空間６０ａの一部を塞ぐことで当該一部から収納対象を収容できないようにするための板材である。この塞ぎパネル１２０は、例えば鋼製の矩形状の板材を用いて構成されており、図１に示すように、収容部の前面のうち上横枠１３から上側の側面パネル９０に至る部分全体を略覆うように配置されており、図７の内幕板１２１を介して収納縦枠１２及び方立１５に対して固定具等によって固定されている。
【００３６】
（構成−収納部−取出開閉体）
取出開閉体１３０は、取出口４を開閉するためのものである。この取出開閉体１３０は、例えば１枚の開閉体（一例として、防火仕様の開閉体等）にて形成されており、具体的には、図３、図４に示すように、取出開閉体枠１３１、外側取出表面材１３２、及び内側取出表面材１３３を備えている。ここで、「取出口４」とは、収納部本体７０の側部のうち、開口部２に直交し且つ通行開口部２ａと収納開口部２ｂとの境界に沿った側部（図４では、収納部本体７０の右側部）に設けられた開口であって、収納部本体７０に収納された収納対象を取り出すための開口を意味する。また、「取出開閉体１３０の状態」とは、例えば、取出開閉体１３０によって取出口４を全閉した「取出全閉状態」と、取出開閉体１３０によって取出口４を全開した「取出全開状態」と、取出口４の一部を開いて取出口４の他の一部を閉じている「取出半開状態」とを含む概念である。
【００３７】
（構成−収納部−取出開閉体−取出開閉体枠）
取出開閉体枠１３１は、取出開閉体１３０の剛性を主として担うものであり、図４、図５に示すように、前後一対の縦力骨１３１ａ及び上下一対の横力骨１３１ｂを備えている。これら縦力骨１３１ａ及び横力骨１３１ｂは、例えば鋼製の長尺な力骨を用いて構成されており、これら縦力骨１３１ａ及び横力骨１３１ｂを組み合わせることによって、正面形状が略矩形環状となる枠を構成する。
【００３８】
（構成−収納部−取出開閉体−外側取出表面材、内側取出表面材）
外側取出表面材１３２及び内側取出表面材１３３は、取出開閉体枠１３１を覆うためのものである。これら外側取出表面材１３２及び内側取出表面材１３３は、例えば公知の化粧板（一例として、鋼製の化粧板等）等を用いて構成され、取出開閉体枠１３１を覆うように設けられており、具体的には、図４、図５に示すように、取出開閉体枠１３１を収納空間６０ａの外側及び収納空間６０ａの内側から挟むように配置され、取出開閉体枠１３１に対して接着剤等によって固定されている。
【００３９】
（構成−収納部−取出開閉体−その他の構成）
また、図３に戻り、取出開閉体１３０の戸先側には、取出取手部１３４、取出施錠装置１３５、及び取出ラッチ（図示省略）が設けられている。このうち、取出取手部１３４は、ユーザが取出開閉体１３０の開閉操作を行うための取手であり、例えば公知の開き戸用の取手（例えば、非突出状の取手）を用いて構成されており、図３に示すように、収納空間６０ａの外側及び収納空間６０ａの内側にそれぞれ配置されている。また、取出施錠装置１３５は、取出開閉体１３０を施錠するためのものであり、例えば公知の施錠装置（一例として、収納空間６０ａの外側からのみ施錠可能な施錠装置等）を用いて構成されている。また、取出ラッチは、取出施錠装置１３５による施錠の有無に関わらず、取出全閉状態の位置に取出開閉体１３０を維持するためのものであり、例えば公知の開き戸用のラッチ等を用いて構成されている。
【００４０】
また、図３に示すように、取出開閉体１３０の収納空間６０ａの内側の上方には、取出ドアクローザ１３６が設けられている。この取出ドアクローザ１３６は、取出開閉体１３０が開かれた場合に、取出開閉体１３０を安全な速度で自動的に閉じるためのものであると共に、取出開閉体１３０の回動状態が取出全開状態以上の状態になることを規制するドアクローザであり、例えば公知のドアクローザ等を用いて構成されており、取出開閉体１３０及び上収納横枠材８３に対して接続されている。
【００４１】
（構成−収納部−取出ヒンジ部）
取出ヒンジ部１４０は、取出開閉体１３０を方立１５に対して回動自在（具体的には、取出口４から収納空間６０ａの外側に至る範囲で回動自在）に軸支するためのものである。この取出ヒンジ部１４０は、公知のピボットヒンジ等を用いて構成されており、図４、図５に示すように、取出開閉体１３０の戸尻側（図４の前側）の上端側及び下端側にそれぞれ設けられており、取出ヒンジ部１４０の上方部分が上収納横枠材８３に対して固定具等によって取り付けられ、且つ取出ヒンジ部１４０の下方部分が方立１５に対して固定具等によって取り付けられている。
【００４２】
（構成−枠体の構成の詳細）
次に、枠体１０の構成の詳細について説明する。ただし、この枠体１０は、特記する場合を除いて、任意の形状、方法、及び材質で製造することができる。
【００４３】
（構成−枠体の構成の詳細−通行縦枠）
まず、実施の形態では、図３、図４、図８、図９に示すように、枠体１０の通行縦枠１１は、通行枠材本体１１ａ及び通行固定材１１ｂを備えている。
【００４４】
このうち、通行枠材本体１１ａは、通行縦枠１１の基本構造体である。この通行枠材本体１１ａは、Ｘ−Ｙ平面に沿った断面形状が左右方向の外側（図９では、右側）に向けて開放された略コ字状となるように形成された中空状体であり、開口部２の上下方向の略全長にわたって形成されている。また、図９に示すように、通行枠材本体１１ａには、通行凹部１１ｃが設けられている。通行枠材本体１１ａは、通行開閉体２０を収容しながら通行縦枠１１と通行開閉体２０との干渉を回避するための凹部（いわゆる相じゃくり構造である凹部）であり、通行枠材本体１１ａにおける通行開閉体２０に対応する部分を左右方向の外側（図９では、右側）に向けて窪ませることにより形成されている。また、図４に示すように、通行凹部１１ｃのうち建物の屋内側の部分（図４では、後側部分）に気密凹部１１ｄが設けられている。気密凹部１１ｄは、図４の気密材１１ｅの一部を収容するためのものであり（なお、後述する他の気密凹部についても同様とする）、上記建物の屋内側の部分を建物の屋内側に向けて窪ませることにより形成されている。
【００４５】
また、通行固定材１１ｂは、通行枠材本体１１ａを建物の躯体３に対して固定すると共に、通行枠材本体１１ａを補強するためのものである。この通行固定材１１ｂは、板状体にて形成されており、当該通行固定材１１ｂの前後方向の長さが通行枠材本体１１ａのコ字状の開放端部における前後方向の長さと略同一（又はそれ以上の長さ）であり、当該通行固定材１１ｂの上下方向の長さが通行枠材本体１１ａの上下方向の長さよりも短くなるように形成されている。また、図３に示すように、この通行固定材１１ｂは、通行枠材本体１１ａのコ字状の開放端部側（通行枠材本体１１ａの左右方向の外側の端部側）において、所定間隔を隔てて上下方向に沿って複数並設配置されており、通行枠材本体１１ａ及び建物の躯体３に対して溶接等によって固定されている。
【００４６】
（構成−枠体の構成の詳細−収納縦枠）
図２に戻り、また、実施の形態では、図２、図４、図８、図９に示すように、枠体１０の収納縦枠１２は、収納枠材本体１２ａ及び収納固定材１２ｂを備えている。なお、収納固定材１２ｂは、通行固定材１１ｂと略同一に構成されているので、以下では、その説明を省略する。
【００４７】
このうち、収納枠材本体１２ａは、収納縦枠１２の基本構造体であり、図９に示すように、通行枠材本体１１ａと略同様に構成されている。また、図９に示すように、収納枠材本体１２ａにおける収納開閉体３０に対応する部分には左右方向の外側に向けて窪んだ収納凹部１２ｃ（いわゆる相じゃくり構造である凹部）が設けられているので、収納開閉体３０を収容しながら収納枠材本体１２ａと収納開閉体３０との干渉を回避することが可能な空間が形成されている。
【００４８】
（構成−枠体の構成の詳細−方立）
図５に戻り、また、実施の形態では、図５に示すように、枠体１０の方立１５は、Ｘ−Ｙ平面に沿った断面形状が矩形環状となるように形成された中空状体であり、開口部２の上下方向の略全長にわたって形成されている。また、図５、図８から図１０に示すように、方立１５には、第１方立凹部１５ａ、第２方立凹部１５ｂ、及び第３方立凹部１５ｃが設けられている。このうち、第１方立凹部１５ａは、通行開閉体２０を収容しながら方立１５と通行開閉体２０との干渉を回避するための凹部（いわゆる相じゃくり構造である凹部）であり、方立１５における通行開閉体２０に対応する部分を左右方向の外側（図５では、左側）に向けて窪ませることにより形成されている。また、図５に示すように、第１方立凹部１５ａのうち建物の屋内側の部分（図５では、後側部分）に気密凹部１５ｄが設けられており、この気密凹部１５ｄは、上記建物の屋内側の部分を建物の屋内側に向けて窪ませることにより形成されている。また、第２方立凹部１５ｂは、収納開閉体３０を収容しながら方立１５と収納開閉体３０との干渉を回避するための凹部（いわゆる相じゃくり構造である凹部）であり、方立１５における収納開閉体３０に対応する部分を左右方向の外側（図５では、右側）に向けて窪ませることにより形成されている。また、第３方立凹部１５ｃは、取出開閉体１３０を収容しながら方立１５と取出開閉体１３０との干渉を回避するための凹部（いわゆる相じゃくり構造である凹部）であり、方立１５における取出開閉体１３０に対応する部分を前後方向の外側（図５では、前側）に向けて窪ませることにより形成されている。また、図５に示すように、第３方立凹部１５ｃのうち収納空間６０ａ側の部分（図５の左側部分）に気密凹部１５ｆが設けられており、この気密凹部１５ｆは、上記収納空間６０ａ側の部分を収納空間６０ａの内側に向けて窪ませることにより形成されている。
【００４９】
（構成−枠体の構成の詳細−上横枠）
図４に戻り、また、実施の形態では、図４、図６から図１０に示すように、枠体１０の上横枠１３は、上枠材本体１３ａ及び上固定材１３ｂを備えている。
【００５０】
このうち、上枠材本体１３ａは、上横枠１３の基本構造体である。この上枠材本体１３ａは、Ｙ−Ｚ平面に沿った断面形状が上下方向の外側（図１０では、上側）に向けて開放された略コ字状となるように形成された中空状体であり、開口部２の左右方向の略全長にわたって形成されている。また、図１０に示すように、上枠材本体１３ａには、第１上枠材凹部１３ｃが設けられている。第１上枠材凹部１３ｃは、通行開閉体２０及び収納開閉体３０を収容しながら上横枠１３と通行開閉体２０又は収納開閉体３０との干渉を回避するための凹部（いわゆる相じゃくり構造である凹部）であり、上枠材本体１３ａにおける通行開閉体２０及び収納開閉体３０に対応する部分を上下方向の外側（図１０では、上側）に向けて窪ませることにより形成されている。また、図１０に示すように、第１上枠材凹部１３ｃのうち通行開閉体２０側であって建物の屋内側の部分に気密凹部１３ｄが設けられており、この気密凹部１３ｄは、上記建物の屋内側の部分を建物の屋内側に向けて窪ませることにより形成されている。
【００５１】
また、上固定材１３ｂは、上枠材本体１３ａを建物の躯体３に対して固定すると共に、上枠材本体１３ａを補強するためのものである。この上固定材１３ｂは、板状体にて形成されており、当該上固定材１３ｂの前後方向の長さが上枠材本体１３ａのコ字状の開放端部における前後方向の長さと略同一（又はそれ以上の長さ）であり、当該上固定材１３ｂの左右方向の長さが上枠材本体１３ａの左右方向の長さよりも短くなるように形成されている。また、図６、図７に示すように、この上固定材１３ｂは、上枠材本体１３ａのコ字状の開放端部側（上枠材本体１３ａの上下方向の外側の端部側）において、所定間隔を隔てて左右方向に沿って複数並設配置されており、上枠材本体１３ａ及び建物の躯体３に対して溶接等によって固定されている。
【００５２】
（構成−枠体の構成の詳細−くつずり横枠）
図６に戻り、また、実施の形態では、図６から図８、図１０に示すように、枠体１０のくつずり横枠１４は、上横枠１３と略同様に構成されており（ただし、図１０に示すように、くつずり横枠１４の前後方向の長さが上横枠１３の前後方向の長さよりも短く設定されている）、くつずり枠材本体１４ａ及びくつずり固定材１４ｂを備えている。また、図１０に示すように、くつずり枠材本体１４ａには、くつずり枠材凹部１４ｃが設けられている。くつずり枠材凹部１４ｃは、通行開閉体２０及び収納開閉体３０を収容しながらくつずり横枠１４と通行開閉体２０又は収納開閉体３０との干渉を回避するための凹部（いわゆる相じゃくり構造である凹部）であり、上記第１上枠材凹部１３ｃと略同様に形成されている。また、図１０に示すように、くつずり枠材凹部１４ｃのうち通行開閉体２０側であって建物の屋内側の部分に気密凹部１４ｄが設けられており、この気密凹部１４ｄは、上記建物の屋内側の部分において建物の屋内側に向けて窪ませることにより形成されている。
【００５３】
（構成−収納枠体の構成の詳細）
図４に戻り、次に、収納部６０の収納枠体８０の構成について説明する。ただし、この収納枠体８０は、特記する場合を除いて、任意の形状、方法、及び材質で製造することができる。
【００５４】
（構成−収納枠体の構成の詳細−第１収納縦枠材）
まず、実施の形態では、図４、図６、図９、図１０に示すように、収納枠体８０の第１収納縦枠材８１は、Ｘ−Ｙ平面に沿った断面形状が矩形環状となるように形成された中空状体であり、開口部２の上下方向の略全長にわたって形成されている。また、図９に示すように、第１収納縦枠材８１には、収納凹部８１ａが設けられている。収納凹部８１ａは、取出開閉体１３０を収容しながら第１収納縦枠材８１と取出開閉体１３０との干渉を回避するための凹部（いわゆる相じゃくり構造である凹部）であり、第１収納縦枠材８１における取出開閉体１３０に対応する部分を前後方向の外側（図９では、後側）に向けて窪ませることにより形成されている。また、図９に示すように、収納凹部８１ａのうち取出開閉体１３０の収納空間６０ａ側の部分に気密凹部８１ｂが設けられており、この気密凹部８１ｂは、上記収納空間６０ａ側の部分において収納空間６０ａの内側に向けて窪ませることにより形成されている。
【００５５】
（構成−収納枠体の構成の詳細−第２収納縦枠材）
図４に戻り、また、実施の形態では、図４、図９に示すように、収納枠体８０の第２収納縦枠材８２は、Ｘ−Ｙ平面に沿った断面形状が矩形環状となるように形成された中空状体であり、開口部２の上下方向の略全長にわたって形成されている。
【００５６】
（構成−収納枠体の構成の詳細−上収納横枠材）
図４に戻り、また、実施の形態では、図４、図６、図９、図１０に示すように、収納枠体８０の上収納横枠材８３は、上収納枠材本体８３ａ及び上収納固定材８３ｂを備えている。
【００５７】
このうち、上収納枠材本体８３ａは、上収納横枠材８３の基本構造体である。この上収納枠材本体８３ａは、Ｘ−Ｚ平面に沿った断面形状が上下方向の外側（図１０では、上側）に向けて開放された略コ字状となるように形成された中空状体であり、取出口４の前後方向の略全長にわたって形成されている。また、図１０に示すように、上収納枠材本体８３ａには、上収納凹部８３ｃが設けられている。ここで、上収納凹部８３ｃは、取出開閉体１３０を収容しながら上収納横枠材８３と取出開閉体１３０との干渉を回避するための凹部（いわゆる相じゃくり構造である凹部）であり、上収納枠材本体８３ａにおける取出開閉体１３０に対応する部分を収納空間６０ａの内側（図１０では、奥側）に向けて窪ませることにより形成されている。また、上収納凹部８３ｃのうち収納空間６０ａの内側部分に気密凹部（図示省略）が設けられており、この気密凹部は、上記収納空間６０ａの内側部分において収納空間６０ａの内側に向けて窪ませることにより形成されている。
【００５８】
また、この上収納固定材８３ｂは、図９に示すように、上収納枠材本体８３ａのコ字状の開放端部側（上収納枠材本体８３ａの上下方向の外側の端部側）において、所定間隔を隔てて前後方向に沿って複数並設配置されており、上収納枠材本体８３ａ及び建物の躯体３に対して溶接等によって固定されている。
【００５９】
（構成−収納枠体の構成の詳細−下収納横枠材）
図６に戻り、また、実施の形態では、図６、図１０に示すように、収納枠体８０の下収納横枠材８４は、上収納横枠材８３と略同様に構成されており（ただし、図１０に示すように、下収納横枠材８４の上下方向の長さが上収納横枠材８３の上下方向の長さよりも長く設定されている）、下収納枠材本体８４ａ及び下収納固定材（図示省略）を備えている。また、図１０に示すように、下収納枠材本体８４ａには、下収納凹部８４ｂが設けられている。このうち、下収納凹部８４ｂは、取出開閉体１３０を収容しながら下収納横枠材８４と取出開閉体１３０との干渉を回避するための凹部（いわゆる相じゃくり構造である凹部）であり、下収納枠材本体８４ａにおける取出開閉体１３０に対応する部分を収納空間６０ａの内側（図１０では、奥側）に向けて窪ませることにより形成されている。また、下収納凹部８４ｂのうち収納空間６０ａの内側部分に気密凹部（図示省略）が設けられており、この気密凹部は、上記収納空間６０ａの内側部分において収納空間６０ａの内側に向けて窪ませることにより形成されている。
【００６０】
（構成−建具の外観構造）
図１に戻り、次に、建具１の外観構造について説明する。建物の屋外側（建具１の正面側）からの建具１の外観を向上させるための外観構造の特徴については、実施の形態では、以下に示す通りとなる。
【００６１】
（構成−建具の外観構造−第１の特徴）
まず、外観構造の第１の特徴については、図１、図２に示すように、通行開閉体２０及び収納開閉体３０の各々は、１枚の開閉体で構成されている。
【００６２】
ここで、通行開閉体２０の具体的な構成については任意であるが、実施の形態では、以下の通りとなる。
【００６３】
すなわち、通行開閉体枠２１は、左右一対の縦力骨２１ｂであって当該縦力骨２１ｂの上下方向の長さが通行開閉体２０の上下方向の長さと略同一である縦力骨２１ｂと、上下一対の横力骨２１ｃであって当該横力骨２１ｃの左右方向の長さが通行開閉体２０の左右方向の長さと略同一である横力骨２１ｃとを備えている。そして、これら縦力骨２１ｂ及び横力骨２１ｃを組み合わせることによって、正面形状が略矩形環状となる枠を構成する。また、屋外側通行表面材２２及び屋内側通行表面材２３の各々は、１枚の化粧板で形成されており、図４に示すように、通行開閉体枠２１を建物の屋外側及び建物の屋内側から挟むように配置され、通行開閉体枠２１に対して接着剤等によって固定されている。
【００６４】
また、この場合において、通行開閉体２０のその他の構成については任意であるが、実施の形態では、図１、図２に示すように、通行開閉体２０の戸先側に通行取手部２４、通行施錠装置２５、及び通行ラッチ（図示省略）が設けられている。なお、通行取手部２４は取出取手部１３４と略同一に構成されていると共に（ただし、図４に示すように、公知の突出状の取手によって形成されている）、通行ラッチは取出ラッチと略同一に構成されているので、以下では、これらの説明を省略する。このうち、通行施錠装置２５は、通行開閉体２０を施錠するための施錠装置であり、例えば公知の施錠装置（一例として、建物の屋外側及び屋内側から施錠可能な施錠装置等）を用いて構成されている。また、図２に示すように、通行開閉体２０における建物の屋内側には、ドアガード２６及び通行ドアクローザ２７が設けられている。このうち、ドアガード２６は、通行開閉体２０の開度を一定以下に制限するためのものであり、例えば公知の開き戸用のドアガード等を用いて構成されている。また、通行ドアクローザ２７は、取出ドアクローザ１３６と略同一に構成され、通行開閉体２０及び上横枠１３に対して接続されている。
【００６５】
また、収納開閉体３０の具体的な構成については任意であるが、実施の形態では、以下の通りとなる。
【００６６】
すなわち、収納開閉体枠３１は、左右一対の縦力骨３１ｂであって当該縦力骨３１ｂの上下方向の長さが収納開閉体３０の上下方向の長さと略同一である縦力骨３１ｂと、上下一対の横力骨３１ｃであって当該横力骨３１ｃの左右方向の長さが収納開閉体３０の左右方向の長さと略同一である横力骨３１ｃとを備えている。そして、これら縦力骨３１ｂ及び横力骨３１ｃを組み合わせることによって、正面形状が略矩形環状となる枠を構成する。また、屋外側収納表面材３２及び屋内側収納表面材３３の各々は、１枚の化粧板で形成されており、図４に示すように、収納開閉体枠３１を建物の屋外側及び建物の屋内側から挟むように配置され、収納開閉体枠３１に対して接着剤等によって固定されている。
【００６７】
また、この場合において、収納開閉体３０のその他の構成については任意であるが、実施の形態では、図１に示すように、収納開閉体３０の戸先側には、収納取手部３４、収納施錠装置３５、及び収納ラッチ（図示省略）が設けられている。なお、収納取手部３４は取出取手部１３４と略同一に構成されていると共に、収納ラッチは取出ラッチと略同一に構成されているので、以下では、これらの説明を省略する。このうち、収納施錠装置３５は、収納開閉体３０を施錠するためのものであり、例えば公知の施錠装置（一例として、建物の屋外側からのみ施錠可能な施錠装置等）を用いて構成されている。また、図１に示すように、収納開閉体３０における建物の屋内側には、収納ドアクローザ３６が設けられており、この収納ドアクローザ３６は、取出ドアクローザ１３６と略同一に構成され、収納開閉体３０及び後述する第４棚パネル１０４に対して接続されている。
【００６８】
このような第１の特徴により、通行開閉体２０又は収納開閉体３０の少なくともいずれか１つが複数枚の開閉体である場合に比べて、全閉状態において建物の屋外側（建具１の正面側）から見て収納開閉体３０の各開閉体同士の境界線、あるいは収納開閉体３０の各開閉体と収納部６０との境界線が外部に露出することを回避でき、建具１の意匠性を向上させることが可能となる。
【００６９】
（構成−建具の外観構造−第２の特徴）
まず、外観構造の第２の特徴については、全閉状態において、通行開閉体２０又は収納開閉体３０によって方立１５の側面のうち建具１の正面側の側面１５ｇ（以下、「正面側側面１５ｇ」と称する）の少なくとも一部が覆われるように、通行開閉体２０、収納開閉体３０、及び方立１５が構成されている。具体的には、図５に示すように、通行開閉体２０及び収納開閉体３０によって正面側側面１５ｇが半分以上（例えば、３分の２程度）覆われるように、通行開閉体２０、収納開閉体３０、及び方立１５が構成されている。なお、「正面側側面１５ｇ」とは、実施の形態では、方立１５における建物の屋外側の側面の部分のうち、第１方立凹部１５ａ及び第２方立凹部１５ｂに対応する部分以外の部分として説明する。
【００７０】
ここで、方立１５の具体的な構成については任意であるが、実施の形態では、図５に示すように、全閉状態において方立１５が通行開閉体２０及び収納開閉体３０よりも若干建物の屋内側（建具１の背面側）に位置するように設けられている。
【００７１】
また、通行開閉体２０の具体的な構成については任意であるが、実施の形態では、図５に示すように、通行開閉体２０の屋外側通行表面材２２に通行召し合わせ部２８が形成されている。通行召し合わせ部２８は、全閉状態及び通行全閉状態において、正面側側面１５ｇの一部を覆うものであり、図５に示すように、屋外側通行表面材２２の戸先側の部分において収納開閉体３０側（左側）に向けて突出し、且つ正面側側面１５ｇの一部と対向するように設けられている。
【００７２】
また、収納開閉体３０の具体的な構成については任意であるが、実施の形態では、図５に示すように、収納開閉体３０の屋外側収納表面材３２に収納召し合わせ部３７が形成されている。収納召し合わせ部３７は、全閉状態及び収納全閉状態において、正面側側面１５ｇの他の一部を覆うものであり、図５に示すように、屋外側収納表面材３２の戸先側の部分において通行開閉体２０（右側）に向けて突出し、且つ正面側側面１５ｇの他の一部と対向するように設けられている。
【００７３】
この場合において、正面側側面１５ｇの部分のうち、全閉状態において通行開閉体２０によって覆われる部分の幅Ｗ１（図５では、左右方向の長さ）と、全閉状態において収納開閉体３０によって覆われる部分の幅Ｗ２との長さについては任意であるが、例えば、これら幅Ｗ１及び幅Ｗ２を相互に略同一に設定してもよい。これにより、正面側側面１５ｇの部分のうち、通行開閉体２０によって覆われる部分の幅Ｗ１と収納開閉体３０によって覆われる部分の幅Ｗ２が同一でない場合に比べて、通行開閉体２０又は収納開閉体３０のいずれか一方のみを開放した場合に、通行開閉体２０又は収納開閉体３０のいずれか他方のみを開放した場合よりも方立１５が建物の屋外側（建具１の正面側）から露出することを回避でき、建具１の意匠性を一層維持しやすくなる。ただし、これに限らず、例えば、これら幅Ｗ１及び幅Ｗ２を相互に異なるように設定してもよい。
【００７４】
このような第２の特徴により、全閉状態において方立１５全体が建物の屋外側（建具１の正面側）から露出する場合に比べて、全閉状態において方立１５が建物の屋外側から目立ちにくくすることができ、建具１の意匠性を向上させることが可能になる。また、特に、実施の形態では、全閉状態において、通行開閉体２０及び収納開閉体３０によって正面側側面１５ｇの少なくとも一部が覆われるので、通行開閉体２０又は収納開閉体３０のいずれか一方のみによって正面側側面１５ｇの少なくとも一部が覆われる場合に比べて、通行開閉体２０又は収納開閉体３０のいずれか一方の戸先側の部分が大きく突出することを抑制でき、建具１の使用時の安全性を確保しやすくなる。
【００７５】
（構成−収納枠体の接続構造）
次に、収納枠体８０の接続構造について説明する。収納枠体８０を構成する各種枠材を接続するための接続構造の特徴については、実施の形態では、以下に示す通りとなる。
【００７６】
（構成−収納枠体の接続構造−第１の特徴）
まず、接続構造の第１の特徴については、上収納横枠材８３及び下収納横枠材８４の各々と枠体１０とは直接的に接続されていると共に、上収納横枠材８３及び下収納横枠材８４の各々と第１収納縦枠材８１とは直接的に接続されている。ここで、「直接的に接続されている」とは、例えば、枠材同士が接続されていること、枠材を構成する部材の１つである連結部材同士が接続されていること、及び枠材と上記連結部材とが接続されていることを含む概念である（なお、枠材を構成する部材以外の他の部材（例えば、側面パネル９０等）を介して枠材同士とが接続されることは該当しない）。具体的には、図９、図１０に示すように、上収納横枠材８３及び下収納横枠材８４の各々と方立１５とは、溶接又は固定具等によって直接的に接続されていると共に、上収納横枠材８３及び下収納横枠材８４の各々と第１収納縦枠材８１とは、溶接又は固定具等によって直接的に接続されている。
【００７７】
このような第１の特徴により、収納部６０が枠材を備えていない場合に比べて、収納部６０の構造的安定性を向上させることできる。また、枠体１０、上収納横枠材８３、下収納横枠材８４、及び第１収納縦枠材８１を強固に接続でき、例えば、枠体１０、上収納横枠材８３、下収納横枠材８４、及び第１収納縦枠材８１によって囲繞された領域において開閉体（例えば、取出開閉体１３０）等の部材を枠体１０、上収納横枠材８３、下収納横枠材８４、又は第１収納縦枠材８１に対して取り付けた場合に、当該部材を強固に支持することが可能となる。したがって、建具１の設置性を向上させることができる。
【００７８】
（構成−収納枠体の接続構造−第２の特徴）
次に、接続構造の第２の特徴については、下収納横枠材８４の上端部が、くつずり横枠１４の上端部よりも上方に位置するように、下収納横枠材８４は構成されている。具体的には、図１０に示すように、下収納横枠材８４の上下方向の長さがくつずり横枠１４の上下方向の長さよりも長く設定されている。また、下収納横枠材８４の下端部の高さとくつずり横枠１４の下端部の高さとが略同一となる位置に、下収納横枠材８４は配置されている。
【００７９】
このような第２の特徴により、枠体１０、上収納横枠材８３、下収納横枠材８４、及び第１収納縦枠材８１によって囲繞された領域に開閉体（例えば、取出開閉体１３０）が設けられた場合に、上記開閉体の開放時にくつずり横枠１４の近傍に存在する障害物（例えば、靴等）と上記開閉体とが衝突することを抑制でき、建具１の使用性を維持できる。
【００８０】
（構成−収納枠体の接続構造−第３の特徴）
図４に戻り、次いで、接続構造の第３の特徴については、第２収納縦枠材８２が枠体１０及び収納部６０の枠材のうち当該第２収納縦枠材８２以外の枠材と直接的に接続しないように、第２収納縦枠材８２は配置されている。具体的には、図４、図９に示すように、第２収納縦枠材８２は、収納縦枠１２の真後ろの位置であって、収納縦枠１２から所定距離（例えば、方立１５と第１収納縦枠材８１との相互間の距離と略同一の距離）離れた位置に配置されている。そして、この第２収納縦枠材８２は、背面側の側面パネル９０を介して第１収納縦枠材８１と接続されていると共に、左側の側面パネル９０を介して収納縦枠１２と接続されている。
【００８１】
このような第３の特徴により、第２収納縦枠材８２を他の枠材（例えば、枠体１０の枠材、収納枠体８０の第２収納縦枠材８２以外の枠材等）と直接的に接続させる必要がないことから、枠体１０及び収納部６０の設置の手間及び設置コストを低減でき、建具１の設置性を一層向上させることが可能となる。
【００８２】
（構成−通行開閉体及び取出開閉体の収容構造）
次に、通行開閉体２０及び取出開閉体１３０の収容構造について説明する。通行開閉体２０及び取出開閉体１３０を収容するための収容構造の特徴については、実施の形態では、以下に示す通りとなる。
【００８３】
（構成−通行開閉体及び取出開閉体の収容構造−第１の特徴）
図４に戻り、まず、収容構造の第１の特徴については、図４、図６に示すように、建具１は、収容空間部１５０を備えている。この収容空間部１５０は、通行全閉状態であり、且つ取出全開状態において、通行開閉体２０と取出開閉体１３０とを相互に干渉することなく収容するための空間部である。また、図４、図６に示すように、収容空間部１５０は、枠体１０によって囲繞された空間のうち通行開口部２ａ側の部分に設けられており、通行収容空間部１５１及び取出収容空間部１５２を備えている。ここで、「枠体１０によって囲繞された空間のうち通行開口部２ａ側の部分」とは、例えば、通行縦枠１１、方立１５、上横枠１３、及びくつずり横枠１４によって周縁が囲まれた空間（以下、「第１空間」と称する）や、第１空間に隣接する空間であって、通行縦枠１１、方立１５、上横枠１３、又はくつずり横枠１４によって周縁が囲まれた空間（以下、「第２空間」と称する）等を含む概念であり、実施の形態では、第１空間と、通行縦枠１１、上横枠１３、及び方立１５によって周縁が囲まれた第２空間とを含むものとして説明する。
【００８４】
通行収容空間部１５１は、通行開閉体２０を収容するための空間部である。この通行収容空間部１５１は、図４、図６に示すように、上記通行開口部２ａ側の部分の建物の屋外側（具体的には、上記第１空間）に設けられており、より具体的には、上述した通行凹部１１ｃ、第１方立凹部１５ａ、第１上枠材凹部１３ｃ、及びくつずり枠材凹部１４ｃによって囲繞された領域に設けられている。また、この通行収容空間部１５１の具体的な構成については任意であるが、通行開閉体２０の少なくとも一部が上横枠１３の通行開口部２ａ側の部分内に収まるように形成されている。具体的には、通行収容空間部１５１の形状については、通行開閉体２０の形状（直方体状）と略同一に設定している。また、通行収容空間部１５１の大きさ（左右方向の長さ、前後方向の長さ、及び上下方向の長さ）については、図４、図６に示すように、通行開閉体２０の大きさよりも若干大きく（又は略同一に）設定している。この場合において、通行開閉体２０の設置方法については任意であるが、実施の形態では、図６に示すように、通行開閉体２０が通行収容空間部１５１から建物の屋外側に突出しないように設置している（ただし、これに限らず、例えば、通行開閉体２０の一部が通行収容空間部１５１から建物の屋外側に突出するように設置してもよい）。
【００８５】
取出収容空間部１５２は、取出開閉体１３０を収容するための空間部である。この取出収容空間部１５２は、図４、図６に示すように、上記通行開口部２ａ側の部分の建物の屋内側（具体的には、上記第２空間）に設けられており、より具体的には、上枠材本体１３ａに設けられた図６の第２上枠材凹部１３ｅ、第３方立凹部１５ｃ、及び通行縦枠１１によって囲繞された領域に設けられている。ここで、第２上枠材凹部１３ｅは、取出開閉体１３０を収容しながら取出開閉体１３０との干渉を回避するための凹部（いわゆる相じゃくり構造である凹部）であり、図６に示すように、上枠材本体１３ａにおける取出開閉体１３０に対応する部分を上下方向の外側（図６では、上側）に向けて窪ませることにより形成されている。また、この取出収容空間部１５２の具体的な構成については任意であるが、実施の形態では、取出開閉体１３０の少なくとも一部が上横枠１３の通行開口部２ａ側の部分内に収まるように形成されている。具体的には、取出収容空間部１５２の形状については、取出開閉体１３０の形状（直方体状）と略同一に設定している。また、取出収容空間部１５２の大きさ（左右方向の長さ、前後方向の長さ、上下方向の長さ）については、取出開閉体１３０の大きさよりも若干大きく（又は略同一に）設定している。この場合において、取出開閉体１３０の設置方法については任意であるが、実施の形態では、図６に示すように、取出開閉体１３０の一部が取出収容空間部１５２から建物の屋内側に突出するに設置している（ただし、これに限らず、例えば、取出開閉体１３０が取出収容空間部１５２から建物の屋内側に突出しないように設置してもよい）。
【００８６】
このような第１の特徴により、取出開閉体１３０を収容する空間を枠体１０外に設けた場合に比べて、取出口４の有効開口幅を確保しながら、上横枠１３と取出口４との相互間の距離を短くすることができ、収納部６０のコンパクト化（特に、収納部６０の奥行方向の長さのコンパクト化）を図ることが可能となる。したがって、建具１の設置性を向上させることができる。
【００８７】
（構成−通行開閉体及び取出開閉体の収容構造−第２の特徴）
図４に戻り、次いで、収容構造の第２の特徴については、取出収容空間部１５２は、通行開閉体２０が通行収容空間部１５１に収容されている際の当該通行開閉体２０の位置又は当該通行開閉体２０における建物の屋内側（建具１の背面側）に設けられた付属部品（例えば、ドアガード２６や通行取手部２４等）の位置よりも建物の屋内側に位置するように設けられている。具体的には、図４に示すように、通行収容空間部１５１と取出収容空間部１５２との相互間の距離が上記付属部品（実施の形態では、ドアガード２６）の前後方向の長さよりも長い距離となる位置に配置されている。
【００８８】
このような第２の特徴により、取出開閉体１３０が取出収容空間部１５２に収容され、且つ通行開閉体２０が通行収容空間部１５１に収容されている場合に、通行開閉体２０又は通行開閉体２０の付属部品のいずれかと取出開閉体１３０とが相互に干渉することを回避でき、通行開閉体２０及び取出開閉体１３０の使用性を一層維持できる。
【００８９】
（建具の作用について）
図１に戻り、次に、このように構成された建具１の作用について説明する。この建具１の作用は、通行開閉体２０の状態及び収納開閉体３０の状態に対応する作用（以下、「第１作用」と称する）と、通行開閉体２０の状態及び取出開閉体１３０の状態に対応する作用（以下、「第２作用」と称する）とに大別される。以下、第１作用と第２作用とのそれぞれについて説明する。
【００９０】
（建具の作用について−第１作用）
まず、第１作用について説明する。
【００９１】
すなわち、図１に示すように、通行全閉状態であり、且つ収納全閉状態（すなわち、全閉状態）では、通行開閉体２０及び収納開閉体３０の各々が１枚の開閉体であるので、通行開閉体２０又は収納開閉体３０が複数枚の開閉体である場合に比べて、建物の屋外側（建具１の正面側）から見て収納開閉体３０の各開閉体同士の境界線、あるいは収納開閉体３０の各開閉体と収納部６０との境界線が外部に露出することを回避できる。また、通行開閉体２０（具体的には、通行召し合わせ部２８）と収納開閉体３０（具体的には、収納召し合わせ部３７）とによって方立１５の正面側側面１５ｇの一部が覆われるので、方立１５が建物の屋外側から目立ちにくくなる。
【００９２】
また、通行全閉状態であり、且つ収納全開状態では、通行召し合わせ部２８のみによって方立１５の正面側側面１５ｇの一部が覆われ、又は通行全開状態であり、且つ収納全閉状態では、収納召し合わせ部３７のみによって方立１５の正面側側面１５ｇの一部が覆われるので、方立１５が建物の屋外側から目立ちにくくなる。
【００９３】
（建具の作用について−第２作用）
次いで、第２作用について説明する。
【００９４】
すなわち、図４に示すように、通行全閉状態であり、且つ取出全開状態では、通行開閉体２０及び取出開閉体１３０が収容空間部１５０（具体的には、通行収容空間部１５１及び取出収容空間部１５２）に収容される。この場合において、上述したように、取出収容空間部１５２が、通行開閉体２０が通行収容空間部１５１に収容されている際の当該通行開閉体２０における建物の屋内側に設けられた付属部品の位置よりも建物の屋内側に位置するように設けられているので、通行開閉体２０と取出開閉体１３０とが相互に干渉しないことから、通行開閉体２０と取出開閉体１３０との接触によって通行開閉体２０又は取出開閉体１３０の少なくともいずれか一方が損傷することを回避できる。
【００９５】
また、通行全開状態であり、且つ取出全閉状態では、通行開閉体２０及び取出開閉体１３０のいずれも収容空間部１５０に収容されないので、通行開閉体２０と取出開閉体１３０とが相互に干渉しない位置に配置される。
【００９６】
また、通行全閉状態であり、且つ取出全閉状態では、通行開閉体２０のみが収容空間部１５０（具体的には、通行収容空間部１５１）に収容され、又は、通行全開状態であり、且つ取出全開状態では、取出開閉体１３０のみが収容空間部１５０（具体的には、取出収容空間部１５２）に収容されるので、通行開閉体２０と取出開閉体１３０とが相互に干渉しない位置に配置される。
【００９７】
（建具の設置方法について）
続いて、建具１の設置方法について説明する。
【００９８】
最初に、工場等で組み立てられた枠体１０（具体的には、通行縦枠１１、収納縦枠１２、上横枠１３、くつずり横枠１４、及び方立１５）を建物の壁に対して固定する。
【００９９】
次に、収納部６０を枠体１０に取り付ける。具体的には、まず、工場等で組み立てられた第１収納縦枠材８１、上収納横枠材８３、及び下収納横枠材８４を、方立１５に対して固定具等によって接続する。次いで、側面パネル９０を収納縦枠１２及び第１収納縦枠材８１に対して取り付けた後に、第２収納縦枠材８２を側面パネル９０に対して取り付ける。そして、上蓋部９１を枠体１０又は収納枠体８０に対して取り付けた後に、棚パネル１００及び塞ぎパネル１２０を収納縦枠１２、方立１５、及び第１収納縦枠材８１に対して取り付ける。
【０１００】
続いて、工場等で組み立てられた通行開閉体２０、収納開閉体３０、及び取出開閉体１３０を対応するヒンジ部を介して枠体１０又は収納枠体８０に対して取り付ける。これにて、建具１の設置が終了する。
【０１０１】
（実施の形態の効果）
このように実施の形態によれば、収納部６０を構成する枠材が、上収納横枠材８３と、下収納横枠材８４と、第１収納縦枠材８１とを含むので、収納部６０が枠材を備えていない場合に比べて、収納部６０の構造的安定性を向上させることができる。また、上収納横枠材８３及び下収納横枠材８４の各々と枠体１０とを直接的に接続すると共に、上収納横枠材８３及び下収納横枠材８４の各々と第１収納縦枠材８１とを直接的に接続したので、例えば、枠体１０、上収納横枠材８３、下収納横枠材８４、及び第１収納縦枠材８１によって囲繞された領域において開閉体等の部材を枠体１０、上収納横枠材８３、下収納横枠材８４、又は第１収納縦枠材８１に対して取り付けた場合に、当該部材を強固に支持することが可能となる。したがって、建具１の設置性を向上させることができる。
【０１０２】
また、下収納横枠材８４の上端部が、くつずり横枠１４の上端部よりも上方に位置するように、下収納横枠材８４を構成したので、枠体１０、上収納横枠材８３、下収納横枠材８４、及び第１収納縦枠材８１によって囲繞された領域に開閉体が設けられた場合に、上記開閉体の開放時にくつずり横枠１４の近傍に存在する障害物（例えば、靴等）と上記開閉体とが衝突することを抑制でき、建具１の使用性を維持できる。
【０１０３】
また、第２収納縦枠材８２が枠体１０及び収納部６０の枠材のうち当該第２収納縦枠材８２以外の枠材と直接的に接続しないように、第２収納縦枠材８２を配置したので、第２収納縦枠材８２を上記第２収納縦枠材８２以外の枠材と直接的に接続させる必要がないことから、枠体１０及び収納部６０の設置の手間及び設置コストを低減でき、建具１の設置性を一層向上させることが可能となる。
【０１０４】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１０５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１０６】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１０７】
（開口部について）
上記実施の形態では、通行開口部２ａが開口部２の右側に位置し、収納開口部２ｂが開口部２の左側に位置すると説明したが、これに限らず、例えば、通行開口部２ａが開口部２の左側に位置し、収納開口部２ｂが開口部２の右側に位置してもよい。
【０１０８】
また、上記実施の形態では、通行開口部２ａ、収納開口部２ｂ、及び取出口４の幅については、収納開口部２ｂの幅を取出口４の幅よりも長く設定しており、通行開口部２ａの幅を収納開口部２ｂの幅よりも長く設定している、すなわち、これら幅を相互に異なるように設定していると説明したが、これに限らない。例えば、これら幅を相互に略同一に設定してもよい。また、通行開口部２ａ、収納開口部２ｂ、及び取出口４の高さについては、通行開口部２ａの高さを収納開口部２ｂの高さと同一に設定していると説明したが、これに限らない。例えば、通行開口部２ａ、収納開口部２ｂ、及び取出口４の高さを相互に略同一に設定してもよい。あるいは、通行開口部２ａの高さを収納開口部２ｂの高さと異なる高さに設定してもよい。
【０１０９】
（枠体について）
上記実施の形態では、くつずり横枠１４の前後方向の長さが上横枠１３の前後方向の長さよりも短く設定されていると説明したが、これに限らず、例えば、くつずり横枠１４の前後方向の長さが上横枠１３の前後方向の長さと略同一に設定されている。この場合には、収容空間部１５０は、上横枠１３及びくつずり横枠１４の各々の通行開口部２ａ側の部分内に収まるように形成されてもよい。
【０１１０】
（各種ヒンジ部について）
上記実施の形態では、通行ヒンジ部４０及び収納ヒンジ部５０が、旗蝶番を用いて構成されていると説明したが、これに限られず、例えば、ピボットヒンジ等を用いて構成されてもよい。また、上記実施の形態では、取出ヒンジ部１４０がピボットヒンジを用いて構成されていると説明したが、これに限らず、例えば、蝶番を用いて構成されてもよい。この場合には、通行ヒンジ部４０が収納空間６０ａの外側に突出することから、例えば、取出ヒンジ部１４０がピボットヒンジであるほうが、通行ヒンジ部４０によって通行対象の通行が妨げられることを回避できる。
【０１１１】
（収納部について）
上記実施の形態では、取出開閉体１３０が、収納部本体７０の右側部に設けられていると説明したが、これに限らず、例えば、収納部本体７０の右側部以外の側部（一例として、収納部本体７０の後側部等）に設けられてもよい。また、上記実施の形態では、取出開閉体１３０が、１枚の開閉体であると説明したが、これに限らず、例えば、複数枚の開閉体であってもよい。
【０１１２】
また、上記実施の形態では、棚パネル１００の設置数が４つであると説明したが、これに限らず、例えば、４つ未満でもよく、又は５つ以上でもよい。
【０１１３】
また、上記実施の形態では、収納部６０に塞ぎパネル１２０が設けられていると説明したが、これに限らず、例えば、塞ぎパネル１２０を省略してよい。。
【０１１４】
（正面側側面について）
上記実施の形態では、正面側側面１５ｇが、方立１５における建物の屋外側の側面の部分のうち、第１方立凹部１５ａ及び第２方立凹部１５ｂに対応する部分以外の部分であると説明したが、これに限らず、例えば、方立１５における建物の屋外側の側面の部分全体であってもよい。
【０１１５】
（建具の外観構造について）
上記実施の形態では、通行開閉体２０及び収納開閉体３０が、一枚の開閉体で構成されていると説明したが、これに限らない。例えば、通行開閉体２０又は収納開閉体３０の少なくともいずれか一方は、複数枚の開閉体で構成されてもよい。
【０１１６】
また、上記実施の形態では、通行開閉体２０及び収納開閉体３０によって正面側側面１５ｇの少なくとも一部が覆われるように、通行開閉体２０、収納開閉体３０、及び方立１５が構成されていると説明したが、これに限らない。例えば、通行開閉体２０又は収納開閉体３０のいずれか一方のみによって正面側側面１５ｇの少なくとも一部が覆われるように、通行開閉体２０、収納開閉体３０、及び方立１５が構成されてもよい。この場合には、通行開閉体２０又は収納開閉体３０のいずれか他方の召し合わせ部を省略してもよい。
【０１１７】
また、上記実施の形態では、通行開閉体２０及び収納開閉体３０によって正面側側面１５ｇが半分以上覆われていると説明したが、これに限らず、例えば、正面側側面１５ｇが半分未満覆われてもよく、あるいは、正面側側面１５ｇ全体が覆われてもよい。
【０１１８】
また、上記実施の形態では、通行開閉体２０及び収納開閉体３０によって正面側側面１５ｇが半分以上覆われていると説明したが、これに限らず、例えば、正面側側面１５ｇが半分未満覆われてもよい。
【０１１９】
（収納枠体の接続構造について）
上記実施の形態では、上収納横枠材８３及び下収納横枠材８４の各々と方立１５とが直接的に接続されていると説明したが、これに限らない、例えば、上収納横枠材８３と上横枠１３とは直接的に接続されてもよい。あるいは、下収納横枠材８４とくつずり横枠１４とは直接的に接続されてもよい。
【０１２０】
また、上記実施の形態では、下収納横枠材８４の上端部が、くつずり横枠１４の上端部よりも上方に位置するように、下収納横枠材８４が構成されていると説明したが、これに限らない。例えば、下収納横枠材８４の上端部が、くつずり横枠１４の上端部よりも下方に位置するように、下収納横枠材８４は構成されてもよい。あるいは、下収納横枠材８４の上端部が、くつずり横枠１４の上端部と略同一の高さに位置するように、下収納横枠材８４は構成されてもよい。
【０１２１】
また、上記実施の形態では、第２収納縦枠材８２が枠体１０及び収納部６０の枠材のうち当該第２収納縦枠材８２以外の枠材と直接的に接続されていないと説明したが、これに限らない。例えば、第２収納縦枠材８２が枠体１０又は収納部６０の枠材のうち当該第２収納縦枠材８２以外の枠材（一例として、収納部６０を構成する横枠材であって、第２収納縦枠材８２と第１収納縦枠材８１との相互間に設けられた横枠材）と直接的に接続されてもよい。
【０１２２】
（通行開閉体及び取出開閉体の収容構造について）
上記実施の形態では、取出開閉体１３０の少なくとも一部が上横枠１３の通行開口部２ａ側の部分内に収まるように、取出収容空間部１５２が形成されていると説明したが、これに限らない。例えば、取出開閉体１３０の少なくとも一部がくつずり横枠１４の通行開口部２ａ側の部分内に収まるように形成されてもよい。あるいは、取出開閉体１３０の少なくとも一部が上横枠１３及びくつずり横枠１４の各々の通行開口部２ａ側の部分内に収まるように形成されてもよい。あるいは、取出開閉体１３０の少なくとも一部が上横枠１３の通行開口部２ａ側の部分外に形成されてもよい。
【０１２３】
（付記）
付記１の建具は、建物の開口部に設けられた建具であり、建物の開口部に設けられた建具であり、前記開口部の周縁に設けられた枠体と、前記開口部の一部である通行開口部であり、通行対象を通行させるための通行開口部を開閉する通行開閉体と、前記開口部の他の一部である収納開口部であり、当該収納開口部よりも当該建具の背面側に設けられた収納部に収納対象を収納可能にするための収納開口部を開閉する収納開閉体と、を備えた建具であって、前記枠体は、左右一対の縦枠と、前記左右一対の縦枠の各々の上端部と接続された上横枠又は前記左右一対の縦枠の各々の下端部と接続された下横枠と、前記左右一対の縦枠の相互間に設けられた方立であって、前記通行開口部と前記収納開口部とを仕切る方立と、を備え、前記収納部を構成する枠材は、前記上横枠における前記方立に対応する部分から当該建具の背面側に向けて張り出すように設けられた横枠材である上収納横枠材と、前記下横枠における前記方立に対応する部分から当該建具の背面側に向けて張り出すように設けられた横枠材である下収納横枠材と、前記方立の真後ろに位置する縦枠材である第１収納縦枠材と、を含み、前記上収納横枠材及び前記下収納横枠材の各々と前記枠体とを直接的に接続すると共に、前記上収納横枠材及び前記下収納横枠材の各々と前記第１収納縦枠材とを直接的に接続した。
【０１２４】
付記２の建具は、付記１に記載の建具において、前記下収納横枠材の上端部が、前記下横枠の上端部よりも上方に位置するように、前記下収納横枠材を構成した。
【０１２５】
付記３の建具は、付記１又は２に記載の建具において、前記収納部の枠材は、前記第１収納縦枠材とは異なる縦枠材であって、前記左右一対の縦枠のうち前記収納部側に位置する縦枠の真後ろに位置する縦枠材である第２収納縦枠材をさらに含み、前記第２収納縦枠材が前記枠体及び前記収納部の枠材のうち当該第２収納縦枠材以外の枠材と直接的に接続しないように、前記第２収納縦枠材を配置した。
【０１２６】
（付記の効果）
付記１に記載の建具によれば、収納部を構成する枠材が、上収納横枠材と、下収納横枠材と、第１収納縦枠材とを含むので、収納部が枠材を備えていない場合に比べて、収納部の構造的安定性を向上させることができる。また、上収納横枠材及び下収納横枠材の各々と枠体とを直接的に接続すると共に、上収納横枠材及び下収納横枠材の各々と第１収納縦枠材とを直接的に接続したので、例えば、枠体、上収納横枠材、下収納横枠材、及び第１収納縦枠材によって囲繞された領域において開閉体等の部材を枠体、上収納横枠材、下収納横枠材、又は第１収納縦枠材に対して取り付けた場合に、当該部材を強固に支持することが可能となる。したがって、建具の設置性を向上させることができる。
【０１２７】
付記２に記載の建具によれば、下収納横枠材の上端部が、下横枠の上端部よりも上方に位置するように、下収納横枠材を構成したので、枠体、上収納横枠材、下収納横枠材、及び第１収納縦枠材によって囲繞された領域に開閉体が設けられた場合に、上記開閉体の開放時に下横枠の近傍に存在する障害物（例えば、靴等）と上記開閉体とが衝突することを抑制でき、建具の使用性を維持できる。
【０１２８】
付記３に記載の建具によれば、第２収納縦枠材が枠体及び収納部の枠材のうち当該第２収納縦枠材以外の枠材と直接的に接続しないように、第２収納縦枠材を配置したので、第２収納縦枠材を上記第２収納縦枠材以外の枠材と直接的に接続させる必要がないことから、枠体及び収納部の設置の手間及び設置コストを低減でき、建具の設置性を一層向上させることが可能となる。
【符号の説明】
【０１２９】
１  建具
２  開口部
２ａ  通行開口部
２ｂ  収納開口部
３  躯体
４  取出口
１０  枠体
１１  縦枠、通行縦枠
１１ａ  通行枠材本体
１１ｂ  通行固定材
１１ｃ  通行凹部
１１ｄ  気密凹部
１１ｅ  気密材
１２  縦枠、収納縦枠
１２ａ  収納枠材本体
１２ｂ  収納固定材
１２ｃ  収納凹部
１３  横枠、上横枠
１３ａ  上枠材本体
１３ｂ  上固定材
１３ｃ  第１上枠材凹部
１３ｄ  気密凹部
１３ｅ  第２上枠材凹部
１４  横枠、くつずり横枠
１４ａ  くつずり枠材本体
１４ｂ  くつずり固定材
１４ｃ  くつずり枠材凹部
１４ｄ  気密凹部
１５  方立
１５ａ  第１方立凹部
１５ｂ  第２方立凹部
１５ｃ  第３方立凹部
１５ｄ  気密凹部
１５ｆ  気密凹部
１５ｇ  正面側側面
２０  通行開閉体
２１  通行開閉体枠
２１ａ  力骨
２１ｂ  縦力骨
２１ｃ  横力骨
２２  屋外側通行表面材
２３  屋内側通行表面材
２４  通行取手部
２５  通行施錠装置
２６  ドアガード
２７  通行ドアクローザ
２８  通行召し合わせ部
３０  収納開閉体
３１  収納開閉体枠
３１ａ  力骨
３１ｂ  縦力骨
３１ｃ  横力骨
３２  屋外側収納表面材
３３  屋内側収納表面材
３４  収納取手部
３５  収納施錠装置
３６  収納ドアクローザ
３７  収納召し合わせ部
４０  通行ヒンジ部
５０  収納ヒンジ部
６０  収納部
６０ａ  収納空間
７０  収納部本体
８０  収納枠体
８１  縦枠材、第１収納縦枠材
８１ａ  収納凹部
８１ｂ  気密凹部
８２  縦枠材、第２収納縦枠材
８３  横枠材、上収納横枠材
８３ａ  上収納枠材本体
８３ｂ  上収納固定材
８３ｃ  上収納凹部
８４  横枠材、下収納横枠材
８４ａ  下収納枠材本体
８４ｂ  下収納凹部
９０  側面パネル
９１  上蓋部
１００  棚パネル
１０１  第１棚パネル
１０２  第２棚パネル
１０３  第３棚パネル
１０４  第４棚パネル
１０５  係止体
１０６  ヒンジ部
１２０  塞ぎパネル
１２１  内幕板
１３０  取出開閉体
１３１  取出開閉体枠
１３１ａ  縦力骨
１３１ｂ  横力骨
１３２  外側取出表面材
１３３  内側取出表面材
１３４  取出取手部
１３５  取出施錠装置
１３６  取出ドアクローザ
１４０  取出ヒンジ部
１５０  収容空間部
１５１  通行収容空間部
１５２  取出収容空間部
Ｗ１  通行開閉体によって覆われる部分の幅
Ｗ２  収納開閉体によって覆われる部分の幅
【図１】
2019127807.tif 000003
【図２】
2019127807.tif 000004
【図３】
2019127807.tif 000005
【図４】
2019127807.tif 000006
【図５】
2019127807.tif 000007
【図６】
2019127807.tif 000008
【図７】
2019127807.tif 000009
【図８】
2019127807.tif 000010
【図９】
2019127807.tif 000011
【図１０】
2019127807.tif 000012